(57)【要約】【課題】使用者の臀部を支持する部位及び使用者の前方でおむつを支持する部位等、部分的におむつカップが破損した場合に、おむつカップ全体を交換しなければならなかった。【解決手段】排泄物穴からの排泄物を受ける受け皿部と、受け皿部の一端から立ち上がり、使用者の排尿を受けて受け皿部に導く立ち上がり部とを有するカップ本体と、使用者の前方でおむつを支持する前部ユニットであって、立ち上がり部の上端に嵌合する第１の嵌合部を有し、第１の嵌合部により立ち上がり部に脱着可能に取り付けられる前部ユニットと、使用者の臀部を支持する臀部ユニットであって、受け皿部の使用者側の縁部に嵌合する第２の嵌合部と、立ち上がり部の使用者側の縁部に嵌合する第３の嵌合部とを有し、第２の嵌合部及び第３の嵌合部により立ち上がり部及び受け皿部に脱着可能に取り付けられる臀部ユニットと、を備えるおむつカップ。【選択図】図３
2013208379.tif 000002
【特許請求の範囲】
【請求項１】
使用者の股間に対応する部位に排泄物穴を有するおむつに装着されるおむつカップであって、
前記排泄物穴からの排泄物を受ける受け皿部と、前記受け皿部の一端から立ち上がり、前記使用者の排尿を受けて前記受け皿部に導く立ち上がり部とを有するカップ本体と、
前記使用者の前方で前記おむつを支持する前部ユニットであって、前記立ち上がり部の上端に嵌合する第１の嵌合部を有し、前記第１の嵌合部により前記立ち上がり部に脱着可能に取り付けられる前部ユニットと、
前記使用者の臀部を支持する臀部ユニットであって、前記受け皿部の前記使用者側の縁部に嵌合する第２の嵌合部と、前記立ち上がり部の前記使用者側の縁部に嵌合する第３の嵌合部とを有し、前記第２の嵌合部及び前記第３の嵌合部により前記受け皿部及び前記立ち上がり部に脱着可能に取り付けられる臀部ユニットと、
を備えるおむつカップ。
【請求項２】
前記臀部ユニットは、前記使用者の臀部を支持する支持面の反対の面である裏面に、前記臀部ユニットが前記支持面から前記裏面に向かう方向に押圧された場合に、前記臀部ユニットを前記使用者側に移動させる力を発生させる形状を含む凹凸構造を有する、請求項１に記載のおむつカップ。
【請求項３】
前記凹凸構造の凸部の先端は、前記凸部の先端が接する接地面からの距離が、前記使用者側に近いほど長い面を有する、請求項２に記載のおむつカップ。
【請求項４】
前記臀部ユニットは、前記裏面の前記使用者の仙骨に対応する位置に窪みを有する、請求項２または３に記載のおむつカップ。
【請求項５】
前記受け皿部は、前記受け皿部の底部の中央に設けられた第１の排便センサと、前記第１の排便センサから前記使用者の右手方向に離間した位置に設けられた第２の排便センサと、前記第１の排便センサから前記使用者の左手方向に離間した位置に設けられた第３の排便センサとを有する、請求項１から４のいずれか１項に記載のおむつカップ。
【請求項６】
前記前部ユニットは、前記第１の嵌合部から延設された平板状の前板部を有する、請求項１から５のいずれか１項に記載のおむつカップ。
【請求項７】
前記臀部ユニットは、抗菌素材が添加されたシリコンラバーにより形成されている、請求項１から６のいずれか１項に記載のおむつカップ。
【請求項８】
使用者の股間に対応する部位に排泄物穴を有するおむつに装着されるおむつカップであって、
前記排泄物穴からの排泄物を受ける受け皿部と、
前記受け皿部の一端から立ち上がり、前記使用者の排尿を受けて前記受け皿部に導く立ち上がり部と、
前記使用者の前方で前記おむつを支持する前部ユニットと、
前記使用者の臀部を支持する臀部ユニットであって、前記使用者の臀部を支持する支持面の反対の面である裏面に、前記臀部ユニットが前記支持面から前記裏面に向かう方向に押圧された場合に、前記臀部ユニットを前記使用者側に移動させる力を発生させる形状を含む凹凸構造を有する臀部ユニットと、
を備えるおむつカップ。
【発明の詳細な説明】
【技術分野】
【０００１】
本発明は、おむつカップに関する。
【背景技術】
【０００２】
使用者の股間に対応する部位に排泄物穴を有するおむつに装着されるおむつカップが知られている（例えば、特許文献１及び特許文献２参照。）。
特許文献１  特開２００６−１４１５９０号公報
特許文献２  特開２００７−０９７８８６号公報
【発明の概要】
【発明が解決しようとする課題】
【０００３】
しかしながら、使用者の臀部を支持する部位及び使用者の前方でおむつを支持する部位等、部分的におむつカップが破損した場合に、おむつカップ全体を交換しなければならなかった。
【課題を解決するための手段】
【０００４】
上記課題を解決するために、本発明の第１の態様においては、使用者の股間に対応する部位に排泄物穴を有するおむつに装着されるおむつカップであって、排泄物穴からの排泄物を受ける受け皿部と、受け皿部の一端から立ち上がり、使用者の排尿を受けて受け皿部に導く立ち上がり部とを有するカップ本体と、使用者の前方でおむつを支持する前部ユニットであって、立ち上がり部の上端に嵌合する第１の嵌合部を有し、第１の嵌合部により立ち上がり部に脱着可能に取り付けられる前部ユニットと、使用者の臀部を支持する臀部ユニットであって、受け皿部の使用者側の縁部に嵌合する第２の嵌合部と、立ち上がり部の使用者側の縁部に嵌合する第３の嵌合部とを有し、立ち上がり部及び受け皿部に脱着可能に取り付けられる臀部ユニットと、を備えるおむつカップが提供される。
【０００５】
上記おむつカップにおいて、臀部ユニットは、使用者の臀部を支持する支持面の反対の面である裏面に、臀部ユニットが支持面から裏面に向かう方向に押圧された場合に、臀部ユニットを使用者側に移動させる力を発生させる形状を含む凹凸構造を有してよい。上記凹凸構造の凸部の先端は、凸部の先端が接する接地面からの距離が、使用者側に近いほど長い面を有してよい。上記臀部ユニットは、裏面の使用者の仙骨に対応する位置に窪みを有してよい。
【０００６】
上記おむつカップにおいて、受け皿部は、受け皿部の底部の中央に設けられた第１の排便センサと、第１の排便センサから使用者の右手方向に離間した位置に設けられた第２の排便センサと、第１の排便センサから使用者の左手方向に離間した位置に設けられた第３の排便センサとを有してよい。
【０００７】
上記おむつカップにおいて、前部ユニットは、第１の嵌合部から延設された平板状の前板部を有してよい。上記おむつカップにおいて、臀部ユニットは、抗菌素材が添加されたシリコンラバーにより形成されてよい。
【０００８】
なお、上記の発明の概要は、本発明の必要な特徴の全てを列挙したものではない。また、これらの特徴群のサブコンビネーションもまた、発明となりうる。
【図面の簡単な説明】
【０００９】
【図１】自動排泄処理装置２０に接続されたおむつカップ１００の使用状態の一例を示す。
【図２】おむつカップ１００及びおむつ３０の一例を示す。
【図３】おむつカップ１００の分解図の一例を示す。
【図４】おむつカップ１００を裏面側から見た一例を示す。
【図５】凹凸構造４３０の断面の一例を示す。
【図６】受け皿部２１０を上側から見た一例を示す。
【発明を実施するための形態】
【００１０】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。以下、図面を参照して、実施形態について説明するが、図面の記載において、同一または類似の部分には同一の参照番号を付して重複する説明を省く場合がある。なお、図面は模式的なものであり、厚みと平面寸法との関係、比率等は現実のものとは異なる。
【００１１】
図１は、自動排泄処理装置２０に接続されたおむつカップ１００使用状態の一例を示す。使用者１０は、例えば、ベッドなどに寝たきりの非介護者である。おむつカップ１００は、使用者１０の股間に対応する部位に排泄物穴を有するおむつ３０に装着されてよい。おむつ３０に装着されたおむつカップ１００は、使用者１０の股間に着用される。
【００１２】
おむつカップ１００は、可撓性の配管２２を介して自動排泄処理装置２０に接続される。おむつカップ１００は、おむつ３０の排泄物穴から使用者１０の排泄物を受ける。おむつカップ１００が受けた排泄物は、配管２２を介して自動排泄処理装置２０が吸引する。自動排泄処理装置２０は、配管２２を介して洗浄液及び温風をおむつカップ１００に提供する。
【００１３】
図２は、おむつカップ１００及びおむつ３０の一例を示す。おむつ３０の排泄物穴３２は、股間に沿った長円形状を有してよい。おむつカップ１００の開口２０２が、排泄物穴３２に合致する。開口２０２は、使用者１０の尿道口及び肛門を取り囲む。
【００１４】
おむつカップ１００は、カップ本体２００、前部ユニット３００及び臀部ユニット４００を備えてよい。前部ユニット３００は、使用者１０の前方でおむつ３０を支持してよい。臀部ユニット４００は、使用者１０の後方でおむつ３０を支持してよい。また、臀部ユニット４００は、使用者１０の臀部を支持してよい。カップ本体２００、前部ユニット３００及び臀部ユニット４００は、可撓性を有してよい。おむつ３０に装着されたおむつカップ１００が、使用者１０の股間の形状に沿って変形して、股間に密接する。
【００１５】
おむつ３０は、前面接着部３４及び背面接着部３６を有してよい。前面接着部３４及び背面接着部３６は、両面テープ及び保護シートにより保護された粘着シートであってよい。前面接着部３４には、前部ユニット３００が接着され、固定されてよい。背面接着部３６には、臀部ユニット４００が接着され、固定されてよい。
【００１６】
図３は、おむつカップ１００の分解図の一例を示す。カップ本体２００は、受け皿部２１０及び立ち上がり部２４０を有してよい。受け皿部２１０は、底部に向けて次第に幅が狭くなる窪みを含んでよい。受け皿部２１０は、窪みにおいて、排泄物穴３２からの排泄物を受ける。受け皿部２１０は、底部に排便センサ２２０及び排尿センサ２３０を含んでよい。立ち上がり部２４０は、受け皿部２１０の一端から立ち上がり、受け皿部２１０の窪みと連接する空間を含む。立ち上がり部２４０は、断面形状がＵ字形状であってよい。立ち上がり部２４０は、受け皿部２１０の窪みと連接する空間に使用者の排尿を受けて、受け皿部２１０に導いてよい。
【００１７】
カップ本体２００の材質はシリコンラバーであってよい。また、カップ本体２００の材質に、抗菌素材を添加してよい。これにより、カップ本体２００の細菌の発生及び増殖を抑えることができ、細菌が使用者１０に与える悪影響を低減できる。抗菌素材としては、プラチナフォトンを採用してよい。
【００１８】
前部ユニット３００は、前部嵌合部３０２及び前板部３０４を有してよい。前部嵌合部３０２は、立ち上がり部２４０の上端２４２に嵌合してよい。立ち上がり部２４０の上端２４２が凸形状を有して、前部嵌合部３０２が凹形状を有することにより、前部嵌合部３０２が、立ち上がり部２４０に嵌合してよい。前部嵌合部３０２は、第１の嵌合部であってよい。
【００１９】
なお、立ち上がり部２４０の上端２４２及び前部嵌合部３０２の形状はこれに限定されない。前部嵌合部３０２が立ち上がり部２４０の上端２４２に嵌合する形状であれば、どのような形状であってもよい。例えば、立ち上がり部２４０の上端が凹形状を有して、前部嵌合部３０２が凸形状を有してもよい。
【００２０】
前部ユニット３００は、前部嵌合部３０２により、立ち上がり部２４０に脱着可能に取り付けられる。これにより、前部ユニット３００が破損した場合に、おむつカップ１００全体を交換しなくてもよくすることができる。また、前部ユニット３００のサイズを容易に変更することができる。また、前部ユニット３００を接着剤によってカップ本体２００に取り付ける場合に比べて、接着面の剥離による破損を防止できる。
【００２１】
前板部３０４は、前部嵌合部３０２から延伸する平板状の形状を有する。これにより、前部嵌合部３０２から延伸する部材をカップ形状の部材とするのに対して、前部ユニット３００の成形を容易にできる。前部嵌合部３０２及び前板部３０４の材質はシリコンラバーであってよい。また、前部嵌合部３０２及び前板部３０４の材質に、抗菌素材を添加してよい。これにより、前部ユニット３００の細菌の発生及び増殖を抑えることができ、細菌が使用者１０に与える悪影響を低減できる。抗菌素材としては、プラチナフォトンを採用してよい。
【００２２】
臀部ユニット４００は、使用者１０の臀部を支持する支持部４１０と、支持部４１０の一端から立ち上がる立ち上がり部４２０とを有してよい。支持部４１０は、使用者１０の臀部を支持する支持面４１２とは反対の面の裏面４１４に、受け皿嵌合部４１６を有してよい。受け皿嵌合部４１６は、受け皿部２１０の、使用者側の面の外周端部である使用者側縁部２１２に嵌合してよい。受け皿嵌合部４１６は、第２の嵌合部であってよい。
【００２３】
立ち上がり部４２０は、立ち上がり部２４０の使用者側縁部２４４に嵌合する立ち上がり嵌合部４２６を有してよい。使用者側縁部２４４が凸形状を有して、立ち上がり嵌合部４２６が凹形状を有することにより、立ち上がり嵌合部４２６が、使用者側縁部２４４に嵌合してよい。
【００２４】
なお、使用者側縁部２４４及び立ち上がり嵌合部４２６の形状はこれに限定されない。立ち上がり嵌合部４２６が使用者側縁部２４４に嵌合する形状であれば、どのような形状であってもよい。例えば、使用者側縁部２４４が凹形状を有して、立ち上がり嵌合部４２６が凸形状を有する。立ち上がり嵌合部４２６は、第３の嵌合部であってよい。
【００２５】
臀部ユニット４００は、受け皿嵌合部４１６及び立ち上がり嵌合部４２６により、受け皿部２１０及び立ち上がり部２４０に脱着可能に取り付けられてよい。これにより、臀部ユニット４００が破損した場合に、おむつカップ１００全体を交換しなくてもよくすることができる。また、臀部ユニット４００のサイズを容易に変更可能にすることができる。また、使用者１０の臀部を支持する部材を接着剤によってカップ本体２００に取り付ける場合に比べて、接着面の剥離による破損を防止できる。
【００２６】
臀部ユニット４００の材質はシリコンラバーであってよい。また、臀部ユニット４００の材質に、抗菌素材を添加してよい。これにより、臀部ユニット４００の細菌の発生及び増殖を抑えることができ、細菌が使用者１０に与える悪影響を低減できる。抗菌素材としては、プラチナフォトンを採用してよい。
【００２７】
図４は、おむつカップ１００を裏面側から見た一例を示す。カップ本体２００は、接続端子２５２、温風供給ポート２５４、洗浄液供給ポート２５６及び排泄ポート２５８を有してよい。
【００２８】
接続端子２５２は、おむつカップ１００に組み込まれた各種センサ、例えば排便センサ及び排尿センサと電気的に接続される。接続端子２５２は、配管２２を介して自動排泄処理装置２０と電気的に接続されてよい。温風供給ポート２５４は、配管２２を介して、自動排泄処理装置２０により提供された温風を受け付けてよい。温風供給ポート２５４が受け付けた温風は、カップ本体２００の内側面のいずれかの箇所から排出されてよい。
【００２９】
洗浄液供給ポート２５６は、配管２２を介して、自動排泄処理装置２０により提供された洗浄液を受け付けてよい。洗浄液供給ポート２５６が受け付けた洗浄液は、カップ本体２００の内面面のいずれかの箇所から排出されてよい。排泄ポート２５８は、使用者１０の排泄物及び洗浄液供給ポート２５６に提供された洗浄液を、カップ本体２００から外部に吸引除去するためのポートであってよい。排泄ポート２５８には、配管２２が接続される。
【００３０】
臀部ユニット４００は、裏面４１４に、凹凸構造４３０を有してよい。凹凸構造４３０は、臀部ユニット４００が支持面４１２から裏面４１４に向かう方向に押圧された場合に、臀部ユニット４００を使用者１０の側に移動させる力を発生させる形状を含んでよい。
【００３１】
臀部ユニット４００は、裏面４１４の使用者１０の仙骨に対応する位置に凹凸構造４３０を有さなくてよい。これにより、支持面４１２に押し付けられた使用者１０の仙骨を凹凸構造４３０が圧迫して、使用者１０に不快感を与えてしまうことを防止できる。また、臀部ユニット４００は、使用者１０の仙骨に対応する位置の厚みが凹凸構造４３０を有する位置の厚みよりも薄くてよい。これにより、支持面４１２に押し付けられた使用者１０の仙骨に対する、臀部ユニット４００の反発力を低減させることができる。
【００３２】
臀部ユニット４００は、裏面４１４の使用者１０の仙骨に対応する位置に窪み４４０を有してよい。これにより、使用者１０の仙骨に対する、臀部ユニット４００の反発力を抑え、使用者１０に与える不快感を低減できる。
【００３３】
使用者１０の仙骨に対する臀部ユニット４００の圧迫を防止する構成として、支持面４１２の仙骨に対応する位置に窪みを形成することも考えられる。しかし、支持面４１２側に窪みを形成した場合、窪みに排泄物及び塵埃等が蓄積されやすい。これに対して本実施形態では、裏面４１４側に窪み４４０を有することにより、仙骨の圧迫の防止に加えて、排泄物及び塵埃等の蓄積の防止を実現できる。
【００３４】
図５は、凹凸構造４３０の断面の一例を示す。凹凸構造４３０は、臀部ユニット４００を使用者１０の側に移動させる力を発生させる形状として、凸部の先端に傾斜面４３２を含んでよい。傾斜面４３２は、凸部の先端が接する接地面５０２からの距離が、使用者１０の側に近いほど長い面であってよい。
【００３５】
臀部ユニット４００に、押圧５０４が加わった場合に、凹凸構造４３０の凸部は、使用者の側に向かって撓む。そして、凸部の撓みにより発生する反発力が、臀部ユニット４００を使用者１０の側に移動させる力５０６となる。これにより、おむつカップ１００全体が、使用者１０側に押し付けられる方向に力を受けるので、おむつカップ１００が装着位置からずれてしまうことを防止できる。
【００３６】
また、凹凸構造４３０は、臀部ユニット４００を使用者１０の側に移動させる力を発生させる形状として、凸部の先端が接する接地面５０２からの距離が、使用者１０の側に近いほど長い、複数の段差を含んでよい。
【００３７】
図６は、受け皿部２１０を上側から見た一例を示す。受け皿部２１０は、排便センサ２２０及び排尿センサ２３０を含んでよい。排便センサ２２０は、赤外線感知センサであってよい。排便センサ２２０は、赤外線を照射する照射部と、照射部から照射された赤外線の反射光を受光する受光部とを有して、排泄物の有無による反射光の変化により、排便を感知してよい。
【００３８】
排尿センサ２３０は、ショート感知センサであってよい。排尿センサ２３０は、導電性を有する２対の金属棒状の電極を、受け皿部２１０の底部に有し、各対の電極間で発生する抵抗値の変化により、排尿の有無を感知してよい。
【００３９】
排便センサ２２０は、第１の排便センサ２２２、第２の排便センサ２２４及び第３の排便センサ２２６を含んでよい。第１の排便センサ２２２は、受け皿部２１０の底部の中央に設けられてよい。第２の排便センサ２２４は、第１の排便センサ２２２から、使用者１０の右手方向に離間した位置に設けられてよい。第３の排便センサ２２６は、第１の排便センサ２２２から、使用者１０の左手方向に離間した位置に設けられてよい。
【００４０】
第１の排便センサ２２２、第２の排便センサ２２４及び第３の排便センサ２２６により、使用者１０が横向きに寝ている状態で排便をした場合であっても、排便を感知できる。具体的に、使用者１０が正面を向いている状態の場合には第１の排便センサ２２２が排便を感知してよい。使用者１０が左手側を下にした状態の場合には第２の排便センサ２２４が排便を感知してよい。使用者１０が右手側を下にした状態の場合には第３の排便センサ２２６が排便を感知してよい。これにより、使用者１０の姿勢の変化による排便の感知漏れを防止できる。
【００４１】
なお、本実施形態において、おむつカップ１００の臀部ユニット４００が裏面４１４に凹凸構造４３０を有する例を挙げて説明した。しかし、凹凸構造４３０は、他のおむつカップにも適用できる。おむつカップの使用者は、おむつカップを装着したまま起き上がったり、寝返りをうったりする場合がある。この場合に、おむつカップが装着位置からずれる可能性がある。これに対して、おむつカップ１００の裏面に凹凸構造４３０を有することにより、使用者が仰向けでベッドに横になった場合に、裏面に向かう押圧力によって、おむつカップを使用者の側に移動させる力を発生させて、おむつカップの装着位置を調整することができる。
【００４２】
例えば、おむつカップは、おむつの排泄物穴からの排泄物を受ける受け皿部と、受け皿部の一端から立ち上がり、使用者の排尿を受けて受け皿部に導く立ち上がり部と、使用者の前方でおむつを支持する前部ユニットと、使用者の臀部を支持する臀部ユニットであって、使用者の臀部を支持する支持面の反対の面である裏面に、臀部ユニットが支持面から裏面に向かう方向に押圧された場合に、臀部ユニットを使用者側に移動させる力を発生させる形状を含む凹凸構造を有する臀部ユニットとを備える。
【００４３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００４４】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００４５】
１０  使用者、２０  自動排泄処理装置、２２  配管、３０  おむつ、３２  排泄物穴、３４  前面接着部、３６  背面接着部、１００  おむつカップ、２００  カップ本体、２０２  開口、２１０  受け皿部、２１２  使用者側縁部、２２０  排便センサ、２２２  第１の排便センサ、２２４  第２の排便センサ、２２６  第３の排便センサ、２３０  排尿センサ、２４０  立ち上がり部、２４２  上端、２４４  使用者側縁部、２５２  接続端子、２５４  温風供給ポート、２５６  洗浄液供給ポート、２５８  排泄ポート、３００  前部ユニット、３０２  前部嵌合部、３０４  前板部、４００  臀部ユニット、４１０  支持部、４１２  支持面、４１４  裏面、４１６  受け皿嵌合部、４２０  立ち上がり部、４２６  立ち上がり嵌合部、４３０  凹凸構造、４３２  傾斜面、４４０  窪み、５０２  接地面、５０４  押圧、５０６  力
【図１】
2013208379.tif 000003
【図２】
2013208379.tif 000004
【図３】
2013208379.tif 000005
【図４】
2013208379.tif 000006
【図５】
2013208379.tif 000007
【図６】
2013208379.tif 000008